(57)【要約】【課題】ライターの燃料糟に於ける装飾加工と構成の改善により視覚的付加価値を向上を図る。【解決手段】燃焼部に燃料を供給し、燃焼部近傍に配した発火手段により燃焼部の燃料を燃焼させ炎を形成するライターの燃料を収容する燃料タンクが透明若しくは半透明の合成樹脂成形体からなるライターにおいて、前記燃料タンク内部に装飾体を内装し、該燃料タンクの一方の側面には燃料タンク内側から目視可能な印刷を施し、燃料タンクの他の一方の側面には燃料タンクの外側から目視可能な印刷を施したことを特徴とし構成される。【選択図】　　　　　　　　図１
0003097756.tif 000002
【実用新案登録請求の範囲】
【請求項１】
燃焼部に燃料を供給し、燃焼部近傍に配した発火手段により燃焼部の燃料を燃焼させ炎を形成するライターの燃料を収容する燃料タンクが透明若しくは半透明の合成樹脂成形体からなるライターにおいて、前記燃料タンク内部に装飾体を内装し、該燃料タンクの一方の側面には燃料タンク内側から目視可能な印刷を施し、燃料タンクの他の一方の側面には燃料タンクの外側から目視可能な印刷を施したことを特徴とする加飾ライター。
【請求項２】
燃料タンク内に装飾体を内装し、燃料タンク内側から目視可能に施された燃料タンク側面の印刷面と燃料タンクの外側から目視可能に施された燃料タンク印刷面が該燃料タンク側面の各単面若しくは複数面に施したことを特徴とする加飾ライター。
【考案の詳細な説明】
【０００１】
【考案の属する技術分野】
本考案は、石油又はナフサの如きヘキサン系の燃料やアルコール等の液体及び液化石油ガスを燃料とするライターにおける装飾に関する。
【０００２】
【従来の技術】
液体燃料又は液化石油ガスに火花を発生させる着火手段を用いて着火し燃焼させてなるライターで燃料タンク素材が合成樹脂素材からなるものは合成樹脂素材が透明又は半透明若しくは不透明で成形されており、透明合成樹脂素材で成形された燃料タンクは燃料タンク内部に収容した液体燃料若しくは液化石油ガスの収納容量を確認出来るようになされてはいるが、装飾性に乏しいことから装飾性の向上を要求されている。
【０００３】
合成樹脂で成形されたライター燃料のタンクにおける従来の加飾方法は燃料タンクの外側面に文字や図柄をシルクスクリーン印刷やパッド印刷のように直接インクや塗料で印刷する方法や、熱転写印刷のように転写紙からインク層を転写する方法が主に実施されている。
【０００４】
又、燃料タンクを透明な合成樹脂素材で成形しタンク内部に燃料とともに造花などの疑似物を装飾体として収容し燃料タンク外側から燃料タンク内部の装飾体を視認できるようにしたものや、予め図柄や文字を印刷した筒状体の熱収縮フィルムを燃料タンク外周面に被せて加熱収縮させ燃料タンク外周面に密着させる加飾ライターが提供されていた。
【０００５】
さらに、実開昭平１−１６９９５８に開示されているような、透明若しくは半透明燃料タンク本体の外側面に燃料タンク内側から目視可能な印刷を施したシールを貼付した加飾ライターも提案されている。
【０００６】
【考案が解決しようとする課題】
前記従来ライターの燃料タンクの外側面にスクリーン印刷や転写印刷及び熱収縮フィルムでの被覆燃料タンク外周面への加飾のみであるため平面的な加飾となり装飾性に乏しかった。
【０００７】
又、燃料タンクの外周面に予め図柄や写真及び文字などを印刷したシールを貼付し前記シールの印刷面が燃料タンクの内側から目視可能なようにしたものも提案されているが単にシール印刷面のみが燃料タンク内側を通し燃料タンクの外側面から視認できる加飾構成でこの構成もまた平面的な加飾となっていた。
【０００８】
さらに、燃料タンク内に疑似物を収容したものも提供されているが、燃料タンク内に疑似物のみが収容されているもので単調な加飾ライターであった。
【０００９】
本考案は叙上の問題点を解決するためになされたものであって、その目的とするところは、装飾体を予め図柄や文字を印刷したり又は立体形状に加工し、その装飾体を燃料タンクの内側に収容させこの装飾体と関連させ、燃料タンク側面の内側及び外側から視認できる印刷を施すことによって装飾性を一段と高めたライターを提供することにある。
【００１０】
【課題を解決するための手段】
叙上の目的を達成するために本考案のライターは、燃焼部に燃料を供給し、燃焼部近傍に配した発火手段により燃焼部の燃料を燃焼させ炎を形成するライターの燃料を収容する燃料タンクが透明若しくは半透明の合成樹脂成形体からなるライターにおいて、前記燃料タンク内部に装飾体を内装し、該燃料タンクの一方の側面には燃料タンク内側から目視可能な印刷を施し、燃料タンクの他の一方の側面には燃料タンクの外側から目視可能な印刷を施したことを特徴とし構成される。
【００１１】
又、燃料タンク内に装飾体を内装し、燃料タンク内側から目視可能に施された燃料タンク側面の印刷面と燃料タンクの外側から目視可能に施された燃料タンク印刷面が該燃料タンク側面の各単面若しくは複数面に施したことを特徴とした構成とすることも有る。
【００１２】
【作用】
本考案のライターは、燃料タンクの燃料収容部に装飾体を収容し該燃料タンクの外側の一側面若しくは複数側面に燃料タンク内側から目視可能な印刷を施し、燃料タンクの前記タンク内側から目視可能に印刷を施していない一側面若しくは複数面には、燃料タンクの外側から目視可能な印刷を施すことによって、燃料タンク外側に目視可能な印刷を施した方向から燃料タンクを観察すると燃料タンク外側面に施した印刷面と燃料タンク内部に収納した装飾体及び燃料タンク内側から目視可能な印刷物が遠近視覚をもって立体的な感覚が視認出来る。
【００１３】
又燃料タンク内に収容する装飾体が燃料タンク内部で移動可能に収容すれば燃料タンク内に収容された液状の燃料と相乗しさらに立体的な視認が出来る。
【００１４】
【実施例】
次に本考案の実施例を図面を参照しながら説明する。第１図は本考案に係る第１の実施例を示し、第２図は第１の実施例の分解斜視図を示す。第３図は本考案に係る第２の実施例を示し、第４図は第２の実施例の分解斜視図を示す。第５図は本考案に係る第３の実施例を示す分解斜視図を示す。
【００１５】
第１の実施例では透明性合成樹脂で成形された燃料タンク１の上方開口部から装飾体２を燃料タンク１内に入れた後燃料タンク１の上方開口部から気化抑制のため冷却された液化石油ガスの燃料ガス３を燃料タンク１内に充填し燃料タンク１上方の開口部は燃料の流量調整機構と燃料吸い上げ芯４及びバルブ５を備えた上蓋６を被せ燃料タンク１と上蓋６を超音波溶着によって封止接合し上蓋６によって燃料ガス３と装飾体２が封止された燃料タンク１に風防７と発火石ヤスリからなる発火部８及びバルブ５の弁解放操作用レバー９を組み込んだ中間ケース１０を取り付けライターの着火及び燃焼等の機能を確認した後燃料タンク１の外側一方の側面に燃料タンク１の内側から目視出来る背景印刷１１を熱転写印刷し燃料タンク１外側他の一方の側面には印刷部のみが燃料タンク１の外側から視認でき前記印刷部位以外は透明となる表面印刷１２を熱転写印刷する。
【００１６】
次に第２の実施例は、透明性合成樹脂で成形された燃料タンク１上方の一方には燃料ガス流量調整機構や燃料ガス吸い上げ芯４及びバルブ５を組み込み炎形成部には風防７が取り付けられ、燃料タンク１上方の他の一方には高電圧の火花放電を発生さる高電圧発火装置１３と着火操作釦１４が組み込まれている。燃料タンク１は下方に開口部が形成されこの開口部から燃料タンク１内に装飾体２を入れた後、気化抑制のため冷却された液化石油ガスの燃料ガス３を充填し、燃料タンク１下方開口部に底蓋１５を被せ燃料タンク１と底蓋１５を超音波溶着によって封止接合し気密構造の燃料糟を形成させライターの着火燃焼等の機能した後燃料タンク１の外側一方の側面に燃料タンク１の内側から目視出来る背景印刷１１を熱転写印刷し燃料タンク１外側他の一方の側面には印刷部のみが燃料タンク１の外側から視認可能で前記印刷部位以外は透明となる表面印刷１２を熱転写印刷する。
【００１７】
第３の実施例は図５のように、燃料タンク１の断面形状が略長方形状からなり燃料タンク１の側面が四面から構成され、装飾体２を燃料タンク１内に収容し燃料タンク１の側面には燃料タンク１の内側から視認可能な印刷を施し燃料タンク１の三側面を覆うようにコの字型の背景印刷１１物を貼付し四面から構成された燃料タンク１の他の一側面には燃料タンク１の外側から視認できる表面印刷１２を施す。本実施例においては燃料タンク１の断面形状が略長方形状で燃料タンク１の側面が四面から構成されるものを示したが、燃料タンク１の断面形状は略三角形状以上の複数角構成から成る場合も同様に背景印刷１１部と表面印刷部１２を各単面から複数面の組み合わせを自由に実施出来る。
【００１８】
実施例に於ける燃料タンク１の一方の側面に施した背景印刷１１及び他の一方の側面に施した表面印刷１２を熱転写印刷としたが印刷方法は熱転写に限定されるもではなく、パッド印刷あるいはシルクスクリーン印刷などの印刷や塗装及び予め紙やフィルムシートなどに印刷したシールを貼付しても良い。
【００１９】
背景印刷１１部の印刷は燃料タンク１の内側から視認出来る面に表面印刷１２や装飾体２に関連した図柄や写真あるいは文字などを表示し、前記背景印刷１１の裏側となる燃料タンク１の外側から視認出来る面には商品の使用上の注意書きや販売識別コード番号その他の文字図柄を表示することも出来る。
【００２０】
燃料タンクはＡＳ樹脂やポリカーボネート樹脂などの透明性を有する合成樹脂で成形することが望ましく、この場合染料などの着色剤を合成樹脂に混合し着色された透明性の成形体とすることも有り、又若干の顔料を混合し半透明な成形体とすることも出来る。
【００２１】
又、本実施例で燃料タンク１内に収容する燃料をブタンガスやプロパンガスなどから成る液化石油ガスによる燃料を示したが燃料タンク内に収納する燃料は前記液化石油ガスの他、ベンゼンやヘキサン及びアルコール等の液体燃料を燃料としたライターにも適用できる。
【００２２】
【考案の効果】
叙上のように本考案によれば燃料タンク側面の単面若しくは複数面に燃料タンク内から視認可能な図柄や写真及び文字などの背景印刷を施し燃料タンク内には燃料タンク内に収容可能な範囲で予め自由な形状と印刷や加飾などで製作することが出来る装飾体を収容し燃料タンクの他の一方の側面には燃料タンク外側から視認可能な図柄や写真及び文字などを印刷を施すことによって表面印刷部と燃料タンク内に収容された装飾体と背景印刷部の３ケ所が遠近視覚で立体的に感じることが出来従来の燃料タンクへの単調な図柄や文字印刷と異なり装飾性に富んだ加飾効果が得られその加飾表現方法の選択範囲が広がることで商品の表現価値を高めることが出来る。さらには、背景印刷部がタンク内側とタンク外側から視認出来る両面の印刷が可能となることから表示面積が格段と拡大される。
【図面の簡単な説明】
【図１】本考案に係る第１の実施例を示す。
【図２】同実施例に係る分解斜視図。
【図３】本考案に係る第２実施例を示す。
【図４】同実施例に於ける分解斜視図。
【図５】本考案に係る第３の実施例に於ける分解斜視図。
【符号の説明】
１　　　燃料タンク
２　　　装飾体
３　　　燃料ガス
４　　　燃料吸い上げ芯
５　　　バルブ
６　　　上蓋
７　　　風防
８　　発火部
９　　レバー
１０　　　中間ケース
１１　　背景印刷
１２　　　表面印刷
１３　　高電圧発生装置
１４　　操作釦
１５　　底蓋
【図１】
0003097756.tif 000003
【図２】
0003097756.tif 000004
【図３】
0003097756.tif 000005
【図４】
0003097756.tif 000006
【図５】
0003097756.tif 000007